(57)【要約】【課題】低コストでより確実かつ効率的に家畜のヒートストレス対策ができる冷却具を提供する。【解決手段】保冷剤を収納可能なポケットを２個以上有し、家畜の頸部の少なくとも一部を覆うように形成された保冷剤カバーと、この保冷剤カバーを家畜の頸部に巻き付けた際に、その保冷剤カバーの両端部を相互に繋ぐことが可能なベルト１本以上とを備えた冷却帯とする。【選択図】図１
2013179903.tif 000002
【特許請求の範囲】
【請求項１】
保冷剤を収納可能なポケットを２個以上有し、家畜の頸部の少なくとも一部を覆うように形成された保冷剤カバーと、
この保冷剤カバーを家畜の頸部に巻き付けた際に、その保冷剤カバーの両端部を相互に繋ぐことが可能なベルト１本以上とを備えた
ことを特徴とする家畜用冷却帯。
【請求項２】
前記保冷剤カバーの中央部に家畜の頸椎に沿う頸椎固定部が設けられ、この頸椎固定部の左右それぞれに前記ポケットが同じ個数形成された
ことを特徴とする、請求項１に記載の家畜用冷却帯。
【請求項３】
前記ポケットはその開口部を覆う蓋を有し、ポケットの開口部縁部とこの蓋の内側面の相対向する位置に相互に係合する面ファスナーが設けられ、これらの面ファスナーを係合させる位置を変化させ、前記蓋の一部をポケットの延長部として使用することにより、前記ポケットの大きさを変化させることが可能である
ことを特徴とする、請求項１又は２に記載の家畜用冷却帯。
【請求項４】
前記ベルトに前記ベルトの長さを調節することが可能な結合部材が設けられ、この結合部材を結合することにより、相対向するベルト同士又はベルトと保冷剤カバーとを繋ぐようになした
ことを特徴とする、請求項１〜３のいずれか１項に記載の家畜用冷却帯。
【請求項５】
前記保冷剤カバーが布帛と保温シートとが積層されてなり、前記布帛と保温シートとの間に前記ポケットが形成され、前記布帛が家畜の体表面に接するようになされた
ことを特徴とする、請求項１〜４のいずれか１項に記載の家畜用冷却帯。
【請求項６】
前記保温シートが、繊維素材からなる保温マットが内側に配され、断熱防水性能を有する樹脂シートが外側に配された積層構造を有する
ことを特徴とする、請求項５に記載の家畜用冷却帯。
【請求項７】
牛用であることを特徴とする、請求項１〜６のいずれか１項に記載の家畜用冷却帯。
【発明の詳細な説明】
【技術分野】
【０００１】
本発明は家畜用冷却帯に関するものであり、より詳細には、主に夏季の高温時に牛等の家畜に装着して家畜の健康状態を良好に保持する冷却帯に関するものである。
【背景技術】
【０００２】
地球温暖化現象の急激な進行により、近年、我が国においても夏季の気温上昇が続いており、家畜にもその対策が急務となっている。
【０００３】
家畜の中でも牛は元来寒さには強いが暑さには弱い動物であり、特に乳牛（日本では９８％がホルスタイン種）はその傾向が顕著である。すなわち、乳牛の正常な代謝活動が行われるための環境温度の適温は２０℃であり、２５℃を超えると徐々に代謝に異常を来すようになり、さらに高熱になると体調不良（以下、これを「ヒートストレス」という）、具体的には食欲の減退とそれに伴う乳量の減少等が明確に認められるようになり、ひいては死に至る場合すらある。
【０００４】
乳牛は日本全国で飼育されているが、本州以南では６月から１０月の長期に亘って最高気温３０℃以上の日が続くこともまれではなくなっており、乳牛の頭数の特に多い北海道東部でも、７〜８月の平均気温が平成１２年頃は２０℃前後であったのが、最近では２５℃以上になることも多くなっている。
【０００５】
これまでの乳牛のヒートストレス対策としては、畜舎の屋根や壁に断熱素材を使用したり、通風等に種々の工夫がなされている他、牛体からより積極的に熱を奪う方法として、ファンで体表面に気流を当てる方法、スプリンクラーで水を散布して体表面を濡らす方法、又はこれらを組み合わせた方法であるファンスプリンクラーによる水の散布等が実施されている（例えば特許文献１）。
【０００６】
しかしながら、近年の猛暑時にはこれらの方法のみでは十分な冷却効果が得られにくくなっており、また相当なコストがかかるという問題がある。
【０００７】
従って、家畜の中でも特に乳牛に対する、低コストで効率のよいヒートストレス対策が強く求められている。
【０００８】
人間や愛玩動物用としては保冷剤等を使用した冷却具が種々提案され、実用化されている（例えば特許文献２）。
【０００９】
人間用では、例えば発熱時に頭部を冷却するための冷却具が古くから使用され、そのような冷却具には枕のように置いて使用するものも、ベルト等で身体に装着するものもある。近年では夏季の熱中症対策としても種々の冷却具が使用されており、乳幼児や身体機能の特に低下した人以外は、自分で着脱して温度調節ができるので、その使用上大きな問題はない。
【００１０】
これに対し、人間以外の動物はそのような冷却具を身体に装着することでストレスを受けるのが一般的であり、また自分で着脱ができないため、例えば愛玩動物用としては冷却マットのように置くタイプのものが主に使用されている。
【００１１】
しかし、乳牛等の家畜の場合は、人間や愛玩動物と比較して身体が格段に大きいこと、畜舎に繋がれた状態で連日長時間高温にさらされること、飼育員一人当たりが世話すべき家畜の数が多いこと等から、人間や愛玩動物用の冷却具をそのまま使用することはできないのはもちろんのこと、それらをそのまま大型化するにしても製造上及び使用上の種々の問題があるため、未だ実用化されていないのが現状である。
【先行技術文献】
【特許文献】
【００１２】
【特許文献１】特表２００３−５０６０５４号公報
【特許文献２】特開２０１０−２３６７４１号公報
【発明の概要】
【発明が解決しようとする課題】
【００１３】
本発明は上記に鑑みてなされたものであり、低コストで、より確実かつ効率的に家畜のヒートストレス対策ができる冷却具を提供することを目的とする。特に乳牛に対する使用に適し、夏季の乳量減少を防止する効果の高い冷却具を提供することを目的とする。
【課題を解決するための手段】
【００１４】
本発明の家畜用冷却帯は、上記の課題を解決するために、保冷剤を収納可能なポケットを２個以上有し、家畜の頸部の少なくとも一部を覆うように形成された保冷剤カバーと、この保冷剤カバーを家畜の頸部に巻き付けた際に、その保冷剤カバーの両端部を相互に繋ぐことが可能なベルト１本以上とを備えたものとする。
【００１５】
上記家畜用冷却帯は、上記保冷剤カバーの中央部に家畜の頸椎に沿う頸椎固定部が設けられ、この頸椎固定部の左右それぞれに上記ポケットが同じ個数形成されたものとすることができる。
【００１６】
また、上記ポケットは、その開口部を覆う蓋を有し、ポケットの開口部縁部とこの蓋の内側面の相対向する位置に相互に係合する面ファスナーが設けられ、これらの面ファスナーを係合させる位置を変化させ、上記蓋の一部をポケットの延長部として使用することにより、上記ポケットの大きさを変化させることが可能であるものとすることができる。
【００１７】
また、上記ベルトは、上記ベルトの長さを調節することが可能な結合部材が設けられ、この結合部材を結合することにより、相対向するベルト同士又はベルトと保冷剤カバーとを繋ぐようになしたものとすることができる。
【００１８】
さらに、上記保冷剤カバーは布帛と保温シートとが積層されてなり、上記布帛と保温シートとの間に上記ポケットが形成され、上記布帛が家畜の体表面に接するようになされたものとすることができる。
【００１９】
上記保温シートは、繊維素材からなる保温マットが内側に配され、断熱防水性能を有する樹脂シートが外側に配された積層構造を有するものとすることができる。
【００２０】
本発明の家畜用冷却帯は、牛用として好適に用いることができる。
【発明の効果】
【００２１】
本発明の冷却帯によれば、水の散布等の従来のヒートストレス対策と比較して、低コストで効率的に家畜のヒートストレスを緩和することができ、特に乳牛に使用した場合、夏季の乳量減少防止に顕著な効果を奏する。
【００２２】
また上記のように、保冷剤カバーの中央部に頸椎固定部を設けた場合、冷却帯の装着が容易で、かつ装着中も家畜の動きによるずれを防止することができる。
【００２３】
また、ポケットの大きさを変化させることを可能とすることにより、気温に応じて冷却面積を調整できる。
【００２４】
また、ベルトの長さを調節可能とすることにより、冷却帯を体表面に密着させて冷却効果をより向上させることができ、かつずれ防止もより容易かつ確実となる。
【００２５】
さらに、このようにポケットの大きさやベルトの長さを調節可能とすることにより、デザインやサイズを変えずに１種の冷却帯を異なる体型や大きさの家畜に適用することが可能となり、コストも削減できる。
【００２６】
また、上記のように保冷剤カバーを保温マットと樹脂シートとの積層構造とすることにより、冷却効果をより長時間持続させ、保冷剤の交換回数を少なくすることができる。
【００２７】
さらに、防水性能を有する樹脂シートを外側に配することにより、従来のファンスプリンクラー等による水の散布と併用した場合に、冷却帯が水を過剰に吸収するのを防止することができる。
【図面の簡単な説明】
【００２８】
【図１】本発明の一実施形態に係る冷却帯Ａのおもて（外側）面を示す平面図である。
【図２】図１の冷却帯Ａのａ−ａ’における冷却帯Ａの模式断面図である。
【図３】(ａ）はベルト２に取り付けられる結合部材９，１０の例を示す斜視図であり、（ｂ）はベルトにこれらの結合部材が取り付けられ、かつ結合部材同士が結合された状態を示す斜視図である。
【図４】ポケット６の蓋７を開いた状態における冷却帯Ａの一部を示す平面図である。
【図５】ポケット６の蓋７を閉じた状態における冷却帯Ａの模式断面図であり、（ａ）は蓋７をポケット６の開口部に深く被せた状態、（ｂ）は蓋７を浅く被せた状態をそれぞれ示す。
【図６】冷却帯Ａの使用状態を示す斜視図である。
【発明を実施するための形態】
【００２９】
本発明の家畜用冷却帯の実施形態について、以下に図を用いて説明する。
【００３０】
図１は本発明の一実施形態に係る冷却帯Ａを示す平面図である。冷却帯Ａを家畜に装着させた際には、図面における上方が家畜の頭側、下方が胴体側となる。本図に示すように、冷却帯Ａは大きく分けて、保冷剤カバー１とその両端部に取り付けられた３対のベルト２とからなる。
【００３１】
保冷剤カバー１は、図１及び図２に示すように、布帛３と保温シート４とが積層されて相互に縫着されてなり、布帛３と保温シート４との間には縫合線５によって仕切られたポケット６が横並びに合計４個形成され、カバー１の中央部、すなわち２番目のポケット６と３番目のポケット６との間には、やはり縫合線５によって仕切られた頸椎固定部８が形成されている。各ポケット６には保冷剤１３がそれぞれ収納される。頸椎固定部８の両脇のポケット６に保冷剤１３を収納すると頸椎固定部８は溝状の窪みになるので、冷却帯Ａを家畜に装着させたときにその窪みが家畜の頸骨のふくらみに沿い、かつ保冷剤１３の重みがその左右に均等にかかることによって、装着中の冷却帯Ａがずれたり、ずり落ちたりするのを防止する働きをする。
【００３２】
保冷剤カバー１の裏面（内側面）を構成する布帛３はキャンバス地である。この布帛３が家畜の体表面に直接接するので、家畜のストレスをより軽減するため、吸湿性のよい天然素材であることが好ましく、また過剰な冷却を防止するために厚手であることが好ましい。また、ポケットに保冷剤を繰り返し入れ替えても損傷しない丈夫さを有することが好ましい。
【００３３】
保冷剤カバー１のおもて面（外側面）を構成する保温シート４は、図示しないが不織布からなる保温マットの上に、防水性能を有し、かつ熱伝導性の低い樹脂シートが積層された２層構造を有する。このような２層構造又はそれ以上の多層構造にすることにより、保冷剤の冷却効果がより長時間維持され、その交換回数をより少なくすることができる。
【００３４】
本発明の冷却帯は従来のファンスプリンクラー等による水の散布と併用される場合があると想定されるが、防水性能を有する樹脂シートを表面素材として使用することにより、冷却帯が水を過剰に吸収するのを防止することができる。
【００３５】
ベルト２は繊維製で、図１に示すように上記保冷剤カバー１の両端部にそれぞれ３本ずつ縫着されている。各ベルト２の縫着端部とは異なる端部には結合部材９，１０がそれぞれ取り付けられている。結合部材は、例えば図３（ａ）に示すような形状を有する雄部材９と雌部材１０とからなる一対のバックルであり、相対向する位置に縫着されたベルト２（例えば２ａと２ａ’）の端部に取り付けられた結合部材９と１０とを、図３（ｂ）に示すように、それぞれ結合させるようになされている。結合部材９は連結桟１１を有するベルト挿入部を有し、この連結桟１１によってベルトの動きが制限され、よってベルトの長さ調節ができる構造になっている。従って使用対象となる家畜の大きさが異なっていても、その首の太さに合わせてベルト２の長さを調節して、冷却帯Ａを適切な位置からずれないように装着することができる。
【００３６】
各ポケット６は、図４に示すように、胴体側に開口部６ａをそれぞれ有し、それらの開口部６ａには折り返し式の蓋７がそれぞれ設けられている。各ポケット６の開口部６ａの縁部とこの蓋７の内側面にはそれぞれ面ファスナー１２ａが設けられ、蓋を閉じるとこれらの面ファスナー１２が係合することにより、閉じた状態が維持されるようになされている。
【００３７】
これらの面ファスナー１２ａ、１２ｂの幅（ポケットの深さ方向の寸法）を比較的広くした場合、図５に示すように、係合させる位置をずらすことにより、ポケット６の大きさを調整することができる。すなわち図５（ａ）に示すように蓋７をポケット６の開口部に深く被せるとポケットは標準の大きさになり、図５（ｂ）に示すように蓋７を浅く被せた場合、蓋７の一部をポケット６の延長部として使用することが可能であり、従って家畜の大きさに合わせてポケットの大きさを調整することが可能であり、１種の冷却帯Ａで種々の大きさの家畜に使用できるのでコスト削減もできる。
【００３８】
上記した冷却帯Ａは、ベルト２の結合部材９，１０同士を外した状態で、保冷剤カバー１の頸椎固定部７が牛等の家畜の頸部に沿うように被せ、家畜の首の前で相対向する位置に設けられたベルト２の結合部材９，１０同士をそれぞれ結合することにより、図６に示すように装着される。なお、通常は装着前に、牛の大きさや気温を考慮して適切な量の冷却剤１３をポケット６に収納し、蓋７を適切な位置でポケット６に被せ、ベルト２の長さを調整しておくのが好ましい。
【００３９】
上記ポケットに収納する保冷剤１３は特に限定されず、従来から使用されているポリアクリル酸ナトリウム等の高吸水性樹脂をプラスチック製袋に入れて密閉したものを使用することができ、各種市販品を適宜利用できる。冷却効果を長時間持続させ、交換回数を少なくするためには、１パック当たりの保冷剤の量が多い程好ましいが、重くなりすぎると家畜の負担になるため、通常は５００〜１５００ｇ程度が好ましい。家畜の大きさや気温等に応じて、２個又は４個のポケットに保冷剤を収納して使用すればよい。また、使用する保冷剤の重さや大きさは全て同じである必要はなく、左右の重さがほぼ均等になりさえすれば、異なる重さや大きさの保冷剤を使用してもよい。
【００４０】
使用により温度の上昇した保冷剤を冷却したものに交換する際には、状況に応じて家畜に冷却帯Ａを装着させたまま交換してもよく、あるいは冷却帯Ａを家畜から取り外してから交換し、再度装着させてもよい。
【００４１】
なお、保冷剤カバーの形状、素材、ポケットの形状及び個数等は上記に限定されず、使用対象となる家畜の頸部の少なくとも一部を覆い、所望の持続的冷却効果が得られるものであればよい。
【００４２】
また、ベルトの形状、素材、本数、バックルの有無等も上記実施形態に限定されず、少なくとも保冷剤カバーを家畜の頸部に巻き付けた状態で安定的に保持できればよい。例えば、ベルトは保冷剤カバーの一方の端部のみに取り付け、他方の端部には結合部材のみを取り付けてもよい。
【００４３】
ただし、着用する家畜の衛生状態を良好に保持するために、全体をそのまま洗濯可能とすることが好ましく、また各部に抗菌素材を使用することも好ましい。
【００４４】
各部分の適切な寸法は、対象となる家畜の種類や大きさにより異なるが、目安として牛（ホルスタイン種）の場合は、ポケット６の幅（図１におけるｗ１，ｗ２，ｗ４，ｗ５）は２０〜２５ｃｍ程度であり、４個全て同じでもよいが、異なる寸法にしてもよい。但し、左右対称にする（ｗ１とｗ５、ｗ２とｗ４はそれぞれ同じにする）ことが好ましい。頸椎固定部の幅（ｗ３）は３〜６ｃｍ程度が好ましい。
【００４５】
ポケット６の深さは上記のように可変とすることができるが、蓋７を最も深く被せた本来の深さは２５ｃ〜３５ｃｍであるのが好ましく、蓋の長さは７〜１５ｃｍ程度が好ましい。面ファスナー１２ａと１２ｂの少なくとも一方の幅（ポケットの深さ方向の寸法）は５ｃｍ以上が好ましく、蓋の被せ方によってポケット６の深さを３ｃｍ以上延長させることができるようにすることが好ましい。面ファスナー１２ａ、１２ｂの長さはポケット６の幅とほぼ同じにするのが好ましい。
【００４６】
上記実施態様の冷却帯Ａは乳牛用を想定したものであるが、本発明の冷却帯は乳牛以外の牛やその他の家畜全般に使用することができ、必要に応じ、大・中型犬等の家畜以外の動物にも応用することができる。
【実施例】
【００４７】
図１に示す形状の冷却帯を牛５頭に装着して、以下の条件で、飼料摂取量及び乳量の変化を、冷却具を装着しない牛５頭と比較した。
【００４８】
対象牛：ホルスタイン種、平常時の乳量２５〜３５ｋｇ
冷却条件
保冷剤：イノアックコーポレーション（株）製  ＩＮＯＡＣクールワン
（保冷ジェル８００ｇ入りソフトバッグ）  ４個使用
冷却温度：−１８℃、
使用開始時の温度：−５℃
冷却温度：使用開始時の冷却帯Ａのキャンバス地の温度で１２℃
装着時間：１０時〜１６時（朝の搾乳後に装着）
試験期間：２０１１年８月１５日〜２８日
試験地：福岡県
試験期間内の平均気温
（１）屋外    朝１０時：３０℃、最高気温：３８℃、一日の平均気温：３４℃
（２）畜舎内  朝１０時：２８℃、最高気温：３４℃、一日の平均気温：３２℃
【００４９】
上記保冷剤を収納した冷却帯Ａを牛に装着させ、畜舎内における体表面の温度変化を調べた。具体的には、首の装着部分における体表面温度をその都度冷却帯Ａを一旦取り外して測定したところ、装着時には３２℃であったのが急激に低下し、１時間３０分経過後には２６℃になり、その後緩やかに上昇したが、装着開始から６時間後の取り外し時まで３０℃以下を維持した。
【００５０】
また、上記試験期間中の各牛の飼料摂取量、乳量を毎日調べ、各牛毎の平均値を求め、さらに５頭の平均値を求めて比較したところ、冷却帯を装着した牛は装着していない牛と比較して、飼料摂取量は１１．１重量％多く、乳量は４．３重量％多かった。
【産業上の利用可能性】
【００５１】
本発明の家畜用冷却帯は乳牛をはじめとする各種家畜の他、大型犬等を含む各種動物の夏季の暑さ対策に利用することができる。
【符号の説明】
【００５２】
Ａ……家畜用冷却帯
１……保冷剤カバー
２……ベルト
３……布帛
４……保温シート
５……縫合線
６……ポケット
７……（ポケットの）蓋
８……頸椎固定部
９……結合部材（雄部材）
１０……結合部材（雌部材）
１１……（結合部材の）連結桟
１２……面ファスナー
１３……保冷剤
【図１】
2013179903.tif 000003
【図２】
2013179903.tif 000004
【図３】
2013179903.tif 000005
【図４】
2013179903.tif 000006
【図５】
2013179903.tif 000007
【図６】
2013179903.tif 000008